(57)【要約】【課題】調整の煩雑さを軽減し、高度な専門知識がなくても、周囲の環境や機器固有の特性を考慮した調整対象機器の調整が、容易にできるリモコン、調整対象機器、及びリモコンによる調整値設定システムを提供することを目的とする。【解決手段】リモコン１で、設定データ記憶媒体２から調整対象機器３の調整設定データを取り込み、リモコン側データ管理部１ｂで管理する。管理されたデータは、リモコン側送信データ制御部１ｃで、一括に送信できるデータに最適化され、調整対象機器３に一括で送信する。調整対象機器３は、リモコン１から取得したデータを機器側データ管理部３ｂで管理する。設定データ制御部３ｃを介して各調整項目に一括で反映できるデータに最適化し、各調整項目に対応する調整対象素子３ｄを一括で制御する。【選択図】図１
2010068088.tif 000002
【特許請求の範囲】
【請求項１】
調整対象機器を遠隔操作可能なリモートコントロール装置（以下、リモコン）であって、
前記リモコンを操作するリモコン操作手段と、
前記調整対象機器と通信を行うリモコン側通信制御部と、
前記調整対象機器の調整設定に関係する設定値データが入出力されるデータ入出力部と、
前記設定値データを管理するリモコン側データ管理部と、
前記設定値データを一括で送信できるデータに最適化するリモコン送信データ制御部を備え、
入手した設定値データをまとめて送信することを特徴とするリモコン。
【請求項２】
リモコンで遠隔操作される調整対象機器であって、
前記調整対象機器を操作する機器操作手段と、
前記リモコンと通信を行い、前記調整対象機器の調整設定に関係する設定値データを通信する、機器側通信制御部と、
前記リモコンとの通信や前記設定値データを管理する機器側データ管理部と、
前記設定値データを各調整項目に反映する際に最適化し、対象の素子を制御する設定データ制御部と、前記設定データ制御部により制御される調整対象素子とを備え、
入手した前記設定値データを一括で反映することを特徴とする調整対象機器。
【請求項３】
前記設定値データは、前記設定値データが作成された時点での周囲環境情報を含み、
前記リモコン送信データ制御部は、前記周囲環境情報も付加して、まとめて送信できることを特徴とする請求項１に記載のリモコン。
【請求項４】
前記設定値データは、前記設定値データが作成された時点での調整対象機器の固有情報を含み、
前記リモコン送信データ制御部は、前記固有情報を付加して、まとめて送信できることを特徴とする請求項１または３に記載のリモコン。
【請求項５】
調整対象機器の固有情報を記憶するリモコン側機器情報参照部を備え、
前記リモコン送信データ制御部は、前記リモコン側機器情報参照部に記憶された前記固有情報を付加した設定値データをまとめて送信することを特徴とする請求項１または３に記載のリモコン。
【請求項６】
リモコン周囲の環境情報を検出するリモコン側環境検出部を備え、
前記リモコン送信データ制御部は、前記リモコンの周囲環境情報を付加した設定値データをまとめて送信できることを特徴とする請求項１または３乃至５のいずれかに記載のリモコン。
【請求項７】
前記リモコン側データ管理部は、前記設定値データ内の周囲環境情報と、前記リモコン側環境検出部から得られる前記リモコンの周囲環境情報の差を考慮して、前記設定値データを調節し、周囲環境の違いを考慮した設定値データとしてまとめて送信することを特徴とする請求項３乃至６のいずれかに記載のリモコン。
【請求項８】
前記リモコン側データ管理部は、前記設定値データ内の機器固有情報と、前記リモコン側機器情報参照部から得られる機器固有情報の差を考慮して、前記設定値データを調節し、
機器の個体差を考慮した設定値データとしてまとめて送信することを特徴とする請求項３乃至７のいずれかに記載のリモコン。
【請求項９】
前記リモコン側環境検出部は、リモコン周囲の分光スペクトル分布や輝度といった明るさ情報を検出することを特徴とする請求項６または７に記載のリモコン。
【請求項１０】
前記リモコン側機器情報参照部は、ランプなどの光源の輝度や分光スペクトル分布、ガンマ特性や使用時間などを記憶することを特徴とする請求項５または８に記載の調整対象機器。
【請求項１１】
前記データ入出力部は、着脱可能な記憶媒体から前記設定値データを入手することを特徴とする請求項１に記載のリモコン。
【請求項１２】
前記データ入出力部は、バーコードリーダーなどのデータ読み取り機能を有し、紙やディスプレイ上に表示される情報を読み取ることで、前記設定値データを入手することを特徴とする請求項１に記載のリモコン。
【請求項１３】
前記データ入出力部は、ＰＣ（パーソナルコンピュータ）や携帯電話などの外部端末と直接的もしくは、光通信や無線通信により接続されることで、前記設定値データを入手することを特徴とする請求項１に記載のリモコン。
【請求項１４】
前記リモコンは、前記対象機器との通信を介して、調整設定値や周囲環境情報、機器の固有情報を入手することを特徴とする請求項１に記載のリモコン。
【請求項１５】
前記機器側データ管理部が管理する前記設定値データは、前記機器側通信制御部を介して受信した周囲環境情報を含み、
前記調整対象機器周囲の環境情報を検出する機器側環境検出部を備え、
前記設定データ制御部は、前記データに含まれる周囲環境情報と、前記機器側環境検出部から得られる周囲環境情報との差を考慮して、前記調整設定に関係するデータを調節し、
周囲環境の違いを考慮した設定値データとして一括で反映することを特徴とする請求項２に記載の調整対象機器。
【請求項１６】
前記機器側データ管理部が管理する前記設定値データには、前記機器側通信制御部を介して受信した調整対象機器の固有情報を含み、
前記調整対象機器は、自身の固有情報を記憶する機器側機器情報参照部を備え、
前記設定データ制御部は、前記設定値データに含まれる機器固有情報と、前記機器側機器情報参照部から得られる機器固有情報との差を考慮して、
前記設定値データを調節し、
機器の個体差を考慮した設定値データとして一括で反映することを特徴とする請求項２または１５に記載の調整対象機器。
【請求項１７】
前記機器側環境検出部は、調整対象機器周囲の分光スペクトル分布や輝度といった明るさ情報を検出することを特徴とする請求項１５に記載の調整対象機器。
【請求項１８】
前記機器側機器情報参照部は、ランプなどの光源の輝度や分光スペクトル分布、ガンマ特性や使用時間などを記憶することを特徴とする請求項１６に記載の調整対象機器。
【請求項１９】
調整対象機器は、プロジェクタであることを特徴とする請求項２または１５乃至１８のいずれかに記載の調整対象機器。
【請求項２０】
請求項１または請求項３乃至１４のいずれかに記載のリモコンと、請求項２または１５乃至１９のいずれかに記載の調整対象機器とからなり、周囲環境の違い及び機器の個体差を考慮しての調整設定値の調節を、
前記リモコンが有する前記リモコン送信データ制御部もしくは、前記対象機器が有する前記設定データ制御部の少なくとも一方で行い、調整値の設定を一括で行うことを特徴とするリモコンによる調整値設定システム。
【請求項２１】
前記設定値データの更新を行う際に参考とする周囲環境情報や機器固有情報を、相互の通信を介して送受信することにより入手することを特徴とする請求項２０に記載のリモコンによる調整値設定システム。
【発明の詳細な説明】
【技術分野】
【０００１】
本発明は、プロジェクタやテレビ、アンプなど、画質や音質などの調整設定項目を持つ調整対象機器と、調整対象機器を遠隔操作するリモートコントロール装置（以下リモコン）に関し、特に調整設定する項目の設定値の決定や、調整設定項目を送信操作するリモコン、調整対象機器、及びリモコンによる調整値設定システムに関するものである。
【背景技術】
【０００２】
近年、ＡＶ機器や情報機器など、各機器の多様化・高性能化・多機能化が進んでいる。
【０００３】
これらの機器の画質や音質などの設定値を調整し変更する方法としては、調整対象機器本体に用意されているボタンでの操作や、ＰＣ（パーソナルコンピュータ）など、外部調整器具をＲＳ−２３２Ｃなどの有線で接続しての操作、赤外線通信などを利用してのリモコンによる遠隔操作がある。
【０００４】
特に、プロジェクタなど天井に設置されている機器や、広い会場に設置された大画面テレビ等、本体での操作やケーブルをつないでの操作が困難な場合をはじめ、調整対象機器を手軽に手元で操作するための手段としては、リモコンによる遠隔操作が一般的である。
【０００５】
従来のリモコン操作では、調整対象機器の各調整項目を視聴環境、利用環境に応じて、映像機器であれば輝度やコントラスト等、音響機器であればボリューム等、調光式の照明であれば照明環境等を、個別に各項目毎に操作して制御を行うものであった。
【０００６】
例えば、映像機器で画面の明るさを調整する際は、リモコンで、明るさを調整するための項目を呼び出し、その後、目標の値まで変化させる必要があった。
【０００７】
また、機器によっては設定情報を複数記憶させることが可能で、記憶させた設定データを選択することで呼び出すことはできたが、同様の設定を他の機器に反映させる場合は、再度同様の設定を個別に記憶させる必要があった。
【０００８】
また、複数の機器に合わせてリモコンデータを設定する、リモコンカスタマイズ装置が特許文献１に開示されている。
【０００９】
これは、複数の機器から、それぞれリモコン信号のフォーマットデータを取得することによって、それぞれの機器に合わせてリモコンをカスタマイズできるようにしたものである。これによって、１つのリモコンで複数の機器を制御することができる。
【特許文献１】特開２００２−２５２８８７号公報
【発明の開示】
【発明が解決しようとする課題】
【００１０】
しかし、各機器の多機能化に伴い調整項目が多岐に渡っていること、また、調整項目の分類や階層構造も複雑になってきていることから、従来のリモコン操作による調整対象機器の設定値変更は非常に煩雑なものとなってきている。
【００１１】
加えて、使用者個人が要望する画質や音質などの性能を実現するためには、ある程度の専門知識が必要であり、各機器に搭載された機能を活かしきれていないことが多いという問題があった。
【００１２】
また、比較視聴する際や、ある場所での設定を別の場所・機器で再現したい場合など同一条件に揃える必要があるときに、視聴環境の違いや、使用部材の特性違い、経時変化による違いなどによって、同じ機種であったとしても、同様の設定値にしても細部が合わず、改めて調整しなおす必要がでてくることもあった。
【００１３】
また、特許文献１の方法は、複数の機器が有する固定情報をリモコンに設定するものであり、種々の条件や要望に合わせて調整が柔軟に行えるというものではなく、上記のような場合には応用できない。
【００１４】
本発明は、このような従来の課題を解決するもので、調整の煩雑さを軽減し、高度な専門知識がなくても、周囲の環境や機器固有の特性を考慮した調整対象機器の調整が、容易にできるリモコン、調整対象機器、及びリモコンによる調整値設定システムを提供することを目的とする。
【課題を解決するための手段】
【００１５】
上記従来の課題を解決するために、本発明のリモコンは、ＰＣなどの外部機器やＷｅｂからダウンロード等で用意した、調整項目に関するデータをリモコン内部の着脱可能な記憶媒体に記憶させて、もしくは、バーコードリーダなどのリーダ機能で暗号化された情報などを読み取ることで、もしくは携帯電話等での赤外線通信などのように例えばリモコン同士で通信することでデータを入手し、加えて、入手したデータを調整対象機器へ一括送信することを可能にする。
【００１６】
また、本発明における調整対象機器は、一括で送信された調整項目に関するデータを受信し、関連する調整項目をまとめて反映させ、対象となる素子を制御することを可能とする。
【００１７】
本構成によって、リモコンを操作して変更したい項目を選びながら、ひとつひとつ設定値を決定するという煩雑な作業無しに、調整対象機器の設定値変更を簡単に行うことができる。
【００１８】
また、本発明のリモコンや調整対象機器は、周囲環境を検出する機能を有することで、調整設定データに周囲環境データを付随させ、環境に適応した設定値への変更を可能とするものである。
【００１９】
また、本発明のリモコンや調整対象機器が扱う調整設定データに、機器固有データを付随することで、機器それぞれが持つ個体差に適応した設定値への変更を可能とするものである。
【００２０】
また、本発明のリモコンと調整対象機器とで、双方向に通信を行うことで、現在の調整項目の設定値データや機器固有データ、調整時の周囲環境データを入手することが可能となる。
【発明の効果】
【００２１】
本発明のリモコン及び調整対象機器によれば、遠隔操作用の制御端末であるリモコンに、着脱可能な記録媒体を設け、記憶媒体からの調整対象機器の調整設定データ入手や、リーダ機能によるバーコードなど暗号化された情報からの調整設定データ入手によって、データの共用・移動を容易にし、また、調整設定項目の一括送信、調整対象機器での反映を可能とする仕組みを持たせることで、煩雑な設定手順を簡略化することができ、操作性の向上を図ることができる。
【００２２】
また、周囲環境検出手段を設けることで、記録してある調整設定データ作成時周囲環境を考慮した設定変更を可能にし、異なる環境下で要望される調整を容易にすることができる。
【００２３】
また、調整対象機器の双方向通信を可能にし、使用時間や物性情報など、機器固有の情報を入手することで、調整対象機器の個体差を考慮した設定値の調整が可能となる。
【００２４】
本発明の構成によれば、天井に吊られて使用される機会があるプロジェクタや、大きな会場に設置されたディスプレイシステムやサラウンドシステム、照明システムなど、直接本体を操作することや、有線で直接的に接続することが困難な際の調整においても、有効な手段となる。
【発明を実施するための最良の形態】
【００２５】
以下本発明を実施するための最良の形態について、図面を参照しながら説明する。
【００２６】
（実施の形態１）
図１は本発明の実施の形態１におけるリモコン及び調整対象機器及び調整システムの構成を示すブロック図である。
【００２７】
より好ましい具体的な形態は、遠隔操作対象となる機器（以下、調整対象機器３）としては、コントラストや明るさ、色などの画質に関する調整項目があるテレビやプロジェクタ等の画像表示装置や、音量やスピーカ相互の音量バランス、ディレイや音場補正など音質に関する調整項目があるプリメインアンプやサラウンドシステム等の音響装置、明るさなどの調節項目がある調光式蛍光灯等の照明機器などが挙げられる。
【００２８】
調整対象機器３の調整は、一般的に使用される赤外線発光素子を利用したリモコンに限らず、光通信や無線通信といった通信を利用した遠隔操作装置から調整対象機器３に送信されるものであってもよい。
【００２９】
図１において、リモコン１は、調整対象機器３の調整設定に関係するデータ（以下、調整設定データ）が保存された設定データ記憶媒体２を着脱可能に管理できるデータ入出力部１ａを備え、調整設定データを管理するリモコン側データ管理部１ｂと、リモコン側データ管理部から入手したデータをもとに、一括で送信できるデータに最適化するリモコン側送信データ制御部１ｃとを備え、リモコン側通信制御部１ｄを介して操作対象となる調整対象機器３へデータを送信する。
【００３０】
リモコンの操作は、操作を行うためのボタンや操作状態を示すＬＥＤや液晶ディスプレイなどを含むリモコン操作手段１ｅにより行う。
【００３１】
ここでの構成における設定データ記憶媒体２は、一般にＳＤカードやＵＳＢフラッシュメモリなどが挙げられ、これら外部記憶媒体を直接リモコン１に接続することでデータを入手するが、異なる設定データの入手手段でもかまわない。
【００３２】
例えば、設定データがバーコードのようなものに暗号化された場合には、データ入出力部１ａにバーコードリーダ等のリーダ機能を持たせることで、紙面上や画面上で情報の共有化がなされる形態から設定データを入手する。
【００３３】
また、近年の携帯電話やゲーム機器のように、赤外線やＢｌｕｅｔｏｏｔｈなどで相互の通信が可能な際には、データ入出力部１ａもしくはリモコン側通信制御部１ｄに相互通信機能を持たせることでデータを入手する。
【００３４】
このリモコン操作手段１ｅは、リモコン送信データ制御部１ｃで用意したデータを調整対象機器３に対して一括で送信することが可能である。リモコン操作手段１ｅは操作性を考慮すると、一括送信専用ボタンとして用意されていることが望ましいが、使用デバイスの制限やユーザの使用状況をふまえ、複数のボタンを同時に使用するなどの一括送信コマンドとして用意されていてもよい。
【００３５】
また、調整を行った調整対象機器３の調整設定情報は、リモコン操作手段１ｅを用い、調整対象機器３との通信を介して一括受信することで入手することが可能である。
【００３６】
調整対象機器３は、機器側通信制御部３ａを備え、リモコン１から調整設定データを受け取ることが可能であり、リモコン１との通信や機器の調整に関わるデータを管理する機器側データ管理部３ｂと、調整設定データを最適化して各調整項目に一括で反映し、各素子を制御する設定データ制御部３ｃと、設定データ制御部３ｃにより制御される調整対象素子３ｄとを備え、調整対象機器３の設定を簡便に行うことができる。
【００３７】
調整対象素子３ｄとしては、例えば調整対象機器３が画像表示装置であるプロジェクタでは、液晶パネルや光源ランプなどが相当する。
【００３８】
例えば、調整対象機器３が画像表示装置の場合、コントラストを−１、明るさを＋３、色の濃さを＋２といった調整項目が反映された場合に、通常はリモコン等によって各項目を設定するのと同様の設定値更新、各素子の制御がされることになる。
【００３９】
調整対象機器３には機器操作手段３ｅを備え、従来の機器本体での操作も可能である。
【００４０】
以上のように、本実施の形態のリモコン及び調整対象機器及び調整システムによれば、記録媒体等を介して入手した調整設定データを、従来行っていた項目別の操作無しに、簡単に調整対象機器へと反映することが可能となる。
【００４１】
（実施の形態２）
図２は本発明の実施の形態２におけるリモコン及び調整対象機器及び調整システムの構成を示すブロック図である。図２において、実施の形態１の図１と同じ構成要素については同じ符号を用い、説明を省略する。
【００４２】
図１と異なるところは、リモコン１に、リモコン側環境検出部１ｆとリモコン側機器情報参照部１ｇとを設け、調整対象機器３に、機器側環境検出部３ｆと機器側機器情報参照部３ｇとを設けている点である。
【００４３】
リモコン側データ管理部１ｂや機器側データ管理部３ｂで管理されるデータには、リモコン１や調整対象機器３の構成によって有効に使用することが可能となる、調整設定データ作成時や使用時点での周囲環境情報、作成時に対象としていた機器や現在調整対象としている機器の固有情報を含むことがある。
【００４４】
設定データ記憶媒体などから入手される調整設定データに付随して、設定値作成時の周囲環境情報があるときに、リモコン１がリモコン周囲の環境情報を検出するリモコン側環境検出部１ｆを備えている場合には、リモコン送信データ制御部１ｃは、使用時である現在の周囲環境と、調整設定データ作成時の周囲環境との差分を考慮して調整設定データを調節することが可能で、入手した調整設定データの代わりに、調節した設定データを送信させてもよい。
【００４５】
また、調整設定データに付随して設定値作成時に対象としていた機器の固有情報があるときに、リモコン１が現在操作対象としている機器の固有情報を保存しているリモコン側機器情報参照部１ｇを備えている場合には、リモコン送信データ制御部１ｃは、現在の調整対象機器と、調整設定データ時作成時の機器の個体差を考慮して調整設定データを調節することが可能で、入手した調整設定データの代わりに、調節した設定データを送信させてもよい。
【００４６】
ここで、リモコン側機器情報参照部１ｇに記憶されている、現在の調整対象機器の機器固有情報は、リモコン１と調整対象機器３との通信により入手されるものとすることで、リアルタイムでの機器情報を得ることができるが、データの簡略化のため、調整対象機器３と対になるリモコン１として、例えばプロジェクタの出荷時でのランプなどの光源の特性や分光スペクトル分布などをあらかじめ保存させていてもかまわない。
【００４７】
また、調整設定データに周囲環境及び機器の固有情報のどちらも付随しているときに、リモコン１が前述のリモコン側環境検出部１ｆとリモコン側機器情報参照部１ｇのどちらも備えている場合には、リモコン送信データ制御部１ｃは、周囲環境の差と機器の個体差のそれぞれを考慮して調整設定データを調節することが可能で、入手した調整設定データのかわりに、調節した設定データを送信させてもよい。
【００４８】
同様に、設定データ記憶媒体２などから入手される調整設定データに付随して、設定値作成時の周囲環境情報があるときに、調整対象機器３が機器周囲の環境情報を検出する機器側環境検出部３ｆを備えている場合には、リモコン１との通信で入手した調整設定データと設定時作成時の周囲環境データ、及び機器側環境検出部３ｆで検出された現在の周囲環境データを考慮して、設定データ制御部３ｃは使用時である現在の周囲環境と調整設定データ作成時の周囲環境との差分を考慮して調整設定データを調節することが可能で、入手した調整設定データの代わりに、調節した設定データを基に、調整値の反映や対象となる素子の制御を行ってもよい。
【００４９】
また、調整設定データに付随して設定値作成時に対象としていた機器の固有情報があるときに、調整対象機器３が機器の固有情報を保存している機器側機器情報参照部３ｇを備えている場合は、リモコン１との通信で入手した調整設定データと設定時作成時の機器固有データ、及び、機器側機器情報参照部３ｇで検出された現在の機器固有データを考慮して、設定データ制御部３ｃは、使用時である現在と調整設定データ作成時との機器個体差を考慮して調整設定データを調節することが可能で、入手した調整設定データの代わりに、調節した設定データをもとに調整値の反映や対象となる素子の制御を行ってもよい。
【００５０】
本発明の調整システム構成によれば、設定データ記憶媒体２などから入手される、環境情報や機器個体差情報と、それに応じる検出部もしくは情報参照部が、少なくともリモコン１及び調整対象機器３のどちらか片方に備わっていれば、環境差や個体差を考慮しての調整設定が、煩雑な操作や高度な専門知識無しに、簡単に行うことが可能となる。
【００５１】
また、リモコン１及び、調整対象機器３のいずれにも機能が備わっている場合、例えばどちらにも環境検出部が備わっている場合は、環境差を考慮した調整設定データの調節は、リモコン１で行っても調整対象機器３で行ってもよい。
【００５２】
例えば、調整対象機器３にリモコン１よりも計算能力の高い制御デバイスが搭載されているのであれば調整対象機器３で行ったり、設定データ記憶媒体２にデータを出力することを考えるのであればリモコン１で行ったり、用途に応じて選択してよい。
【００５３】
以上で述べた本実施の形態における調整システムの処理を、図３及び図４のフローチャートを用いてさらに説明する。ここでは、特に周囲環境に関するデータがある場合に関して説明する。
【００５４】
まず、図３で、リモコン１から調整対象機器３へデータを送信するまでの処理を説明する。
【００５５】
ステップＳ１で、データ入出力部１ａは、リモコン１に装着された設定データ記憶媒体２から調整設定データを入手する。入手したデータは、リモコン側データ管理部１ｂで管理される。
【００５６】
ステップＳ２で、リモコン側データ管理部１ｂにおいて、取得したデータに調整設定データ作成時の周囲環境情報としてのデータ（環境データ１）が付随しているか否かが判断され、ＮＯならば、リモコンの構成によらず、入手したデータは調整設定データのみであると判断し、リモコン側送信データ制御部１ｃに送られ、ステップＳ７で通信用データに最適化され、リモコン側通信制御部１ｄを介し、調整対象機器３に送信され終了する。
【００５７】
ステップＳ２でＹＥＳの場合、ステップＳ３で、リモコン１に環境を検出するブロック（リモコン側環境検出部１ｆ）があるか否かが判断され、ＮＯならば、リモコン側で環境の違いを考慮した設定値に調節することができないと判断し、入手した環境データ１及び調整設定データが、ステップＳ７で通信用データに最適化され、調整対象機器３に送信され終了する。
【００５８】
ステップＳ３でＹＥＳの場合、ステップＳ４で、リモコン側データ管理部１ｂは、リモコン側環境検出部１ｆからリモコン周囲の環境情報（環境データ２）を入手する。続いてステップＳ５に進み、入手した環境データ１、２、及び調整設定データから、設定値を調節するか否かを選択する。ＮＯならば、リモコン１では環境の違いを考慮した設定値の調節は行わず、環境データ１、２及び調整設定データがリモコン側送信データ制御部１ｃに送られ、ステップＳ７で、通信用データに最適化され、リモコン側通信制御部１ｄを介し、調整対象機器３に送信され終了する。
【００５９】
ステップＳ５でＹＥＳならば、ステップＳ６で、リモコン側データ管理部１ｂにおいて、環境データ１、２の違いを考慮して調整設定データが調節された環境考慮データが作成され、リモコン側送信データ制御部１ｃに送られ、ステップＳ７で、通信用データに最適化され、リモコン側通信制御部１ｄを介し、調整対象機器３に送信され終了する。
【００６０】
例えば、調整対象機器３が画像表示装置の場合、環境データ２の方が環境データ１よりも「明るい」環境である場合、例えば「色の濃さ」をより「濃い」設定値に調節することで、環境データ１で調節された色の濃さに、環境データ２で感じられる色の濃さを近似するよう調節する。
【００６１】
次に、図４で、調整対象機器３がリモコン１から送信されたデータを受けて調整対象素子３ｄを制御するまでの処理を説明する。
【００６２】
ステップＳ８で、リモコン１から送信されたデータを、機器側通信制御部３ａを介し受信する。受信したデータは、機器側データ管理部３ｂで管理され、ステップＳ９で受信したデータがどのようなものかが判断される。
【００６３】
受信したデータが調整設定データのみであれば、機器の構成によらず、環境の違いを考慮した設定値に調節することができないと判断し、受信した調整設定データが設定データ制御部３ｃに送られ、ステップＳ１７で各調整項目に反映、調整対象素子３ｄが制御される。
【００６４】
受信したデータが、リモコン１で環境の違いを考慮した環境考慮データである場合は、データがそのまま設定データ制御部３ｃに送られ、ステップＳ１７で各調整項目に反映、調整対象素子３ｄが制御される。
【００６５】
また、受信したデータが、設定データ記憶媒体２から得られる環境データ１と調整設定データであった場合、ステップＳ１０で、調整対象機器３に環境を検出するブロック（機器側環境検出部３ｆ）があるか否かが判断され、ＮＯならば、機器側で環境の違いを考慮した設定値に調節することができないと判断し、入手した調整設定データが設定データ制御部３ｃに送られ、ステップＳ１７で、各調整項目に反映、調整対象素子３ｄが制御される。ステップＳ１０でＹＥＳの場合、ステップＳ１１で、機器側環境検出部３ｆから調整対象機器３周囲の環境情報（環境データ３）を入手、調整設定データと環境データ１、２が設定データ制御部３ｃに送られ、ステップＳ１５に進む。
【００６６】
また、受信したデータが、設定データ記憶媒体から得られる調整設定データと環境データ１、及びリモコン１で得られる環境データ２である場合は、ステップＳ１２で調整対象機器３に環境を検出するブロック（機器側環境検出部３ｆ）があるか否かが判断され、ＮＯならば、調整設定データと環境データ１、２が設定データ制御部３ｃに送られ、ステップＳ１５に進む。逆にステップＳ１２でＹＥＳならば、ステップＳ１３で機器側環境検出部３ｆから調整対象機器３周囲の環境情報（環境データ３）を入手、ステップＳ１４で機器側かリモコン側かどちらの環境データを参照するかを選択し、調整設定データと環境データ１と合わせて、設定データ制御部３ｃに送られ、ステップＳ１５に進む。
【００６７】
次に、ステップＳ１５では、設定データ制御部３ｃにおいて、調整設定データを環境の違いを考慮して調節するか否かの判断が行われ、ＮＯならば、調整対象機器３では環境の違いを考慮した調節は行わず、ステップＳ１７で各調整項目に反映、調整対象素子３ｄが制御される。ＹＥＳならば、ステップＳ１６で、環境データ１と２、もしくは環境データ１と３の違いを考慮して、調整設定データが調節された環境考慮データが作成され、ステップＳ１７で各調整項目に反映、調整対象素子３ｄが制御される。
【００６８】
以上で、環境の違いを考慮した調整設定値の一括更新処理が終了する。
【００６９】
本実施の形態において、環境を考慮した調節を行うか否かの選択としてステップＳ５やＳ１５を用意したが、あくまで一例であり、操作の簡略化のため、例えば、初期設定で「常に調節する」、「リモコン側の環境データ２を選択する」としてもよい。
【００７０】
以上の説明は、周囲環境に関するデータがある場合に関して説明したが、機器情報に関するデータがある場合に関しても同様である。
【００７１】
本実施の形態によれば、従来なら煩雑となる多岐にわたる調整項目の設定や、環境の違いや個体差を考慮した微調整が、外部記憶媒体等を使用して調整対象機器の調整設定値を共有することで都度入力する手間を省き、また、リモコンや調整対象機器に用意された設定値の一括送信、反映機能、及び環境情報や機器固有情報の参照による自動調節機能を備えることで各項目の個別調整、微調整を一括で行うことを可能とし、周囲環境の違いや機器の個体差を考慮した調整を簡便に行うことができる。
【００７２】
また、本実施の形態では、調整対象機器を遠隔操作する制御端末をリモコンとしているが、例えばＰＣや携帯電話もこの装置に該当するものであることは言うまでもない。
【産業上の利用可能性】
【００７３】
本発明にかかるリモコン及び調整対象機器は、遠隔操作用制御端末に記録媒体をもたせることで、調整設定値の共用ができること、また、周囲環境の検出機能や双方向通信によって周囲環境データや機器固有データを入手可能とすることで、周囲環境の違いや機器固有の個体差を考慮した調整設定値の変更ができること、リモコンによる遠隔操作で調整設定値を一括に更新させることで、設定の煩雑さから解放されることから、操作性の向上を図ることができるため、画質や音質など多くの調整設定項目を持つ、例えば、プロジェクタなどの調整対象機器と、調整対象機器を遠隔操作するリモコンとによる調整値設定システム用途等に有用である。
【図面の簡単な説明】
【００７４】
【図１】本発明の実施の形態１におけるリモコン及び調整対象機器及び調整システムの構成を示すブロック図
【図２】本発明の実施の形態２におけるリモコン及び調整対象機器及び調整システムの構成を示すブロック図
【図３】本発明の実施の形態２におけるリモコン側の処理の流れを示すフローチャート
【図４】本発明の実施の形態２における調整対象機器側の処理の流れを示すフローチャート
【符号の説明】
【００７５】
１  リモコン
１ａ  データ入出力部
１ｂ  リモコン側データ管理部
１ｃ  リモコン側送信データ制御部
１ｄ  リモコン側通信制御部
１ｅ  リモコン操作手段
１ｆ  リモコン側環境検出部
１ｇ  リモコン側機器情報参照部
２  設定データ記憶媒体
３  調整対象機器
３ａ  機器側通信制御部
３ｂ  機器側データ管理部
３ｃ  設定データ制御部
３ｄ  調整対象素子
３ｅ  機器操作手段
３ｆ  機器側環境検出部
３ｇ  機器側機器情報参照部
【図１】
2010068088.tif 000003
【図２】
2010068088.tif 000004
【図３】
2010068088.tif 000005
【図４】
2010068088.tif 000006